(57)【要約】
【課題】飛沫ウィルスによる感染を予防するマスクに関る。
【解決手段】主に隔離表層１０、活性炭繊維による平織布層（ＡＣＴＩＶＥ　ＣＡＲＢＯＮ　ＦＩＢＥＲＳ、ＡＣＦ）２０、防湿シート層３０により構成し、上述の三層をX軸、Y軸のように経緯密度編織方法により綿密に縫合し、離隔表層により飛沫及びそれに含まれるウィルスを吸着し、活性炭素繊維平織層により活性炭繊維の表面孔（ＭＩＣＲＯＰＯＲＥ）は強大な吸着力を具有し、防湿シート層によりマスク内にこもる湿気の水分子を該防湿シート内の構造へ留置し、迅速に気体を排出し、飛沫ウィルスによるインフルエンザ、肺炎などの感染病への感染を予防する。
【選択図】　　　図１
0003099624.tif 000002
【実用新案登録請求の範囲】
【請求項１】
　主に隔離表層、活性炭繊維による平織布層、防湿シート層により構成し、三層をX軸、Y軸のように経緯密度編織方法により綿密に縫合し、
　最も外側に位置する該隔離表層は、表面は不規則で綿密な毛羽構造であり、この毛羽構造を利用して飛沫分子を破壊し、線状に配列する繊維と繊維との間で毛羽構造及びサイフォン作用を持ち、
　中間に挟まれる該活性炭繊維による平織布層は、吸脱着し易く編織されており、該活性炭繊維による平織布層は緊密に縫合されており、飛沫分子及びそれに含まれるウィルスを吸着、脱水、滅菌、フィルター、脱臭、塵をろ過する作用により空気中に含まれる有害物質をろ過し、
　人体に直接接触する該防湿シート層は、触れても心地よい感触の防湿性の材質からなると共に、該隔離表層と該活性炭繊維による平織布層と緊密に縫合されており、
これらの構成により、吸着、脱水、滅菌、フィルター、脱臭、塵をろ過することを特徴とする飛沫ウィルスによる感染を予防するマスク。
【請求項２】
　前記隔離表層を抗菌薬剤へ浸漬処理し、更に抗菌効果をますことを特徴とする請求項１記載の飛沫ウィルスを予防するマスク。
【考案の詳細な説明】
【技術分野】
【０００１】
　本考案は、飛沫ウィルスを予防するマスクの構造に係り、特に隔離表層、活性炭繊維による平織布層、防湿ライナー層により構成し、三層をX軸、Y軸のように経緯密度編織方法により綿密に縫合し（参照　図３）、一体を形成する構造に係る。
【背景技術】
【０００２】
　風邪、インフルエンザ、気管支炎、肺炎等の呼吸器官系の疾病は通常飛沫ウィルスによる感染であり、この類の飛沫ウィルスの主な感染ルートは口、鼻からによるものであり、感染を防ぐ最良の方法としてマスクを付けることが挙げられる。マスクを付けることにより飛沫ウィルスによる感染を予防し、伝染病への感染を予防する。
　公知のマスクは、通常空気中の微生物及び異臭を阻隔するものであるが、病原菌を阻隔する効果は具有しない。
【考案の開示】
【考案が解決しようとする課題】
【０００３】
　仮に飛沫ウィルスによる感染を予防するために活性炭をマスクに適用できれば、公知の活性炭材質は空気中の有害な物質からの抗菌脱臭効果を有するので、伝染病感染を防止できる。
　しかしながら、公知の活性炭マスクの通気孔はＭＡＣＲＯＰＯＲＥ構造であり、強大な吸引力によりＭＡＣＲＯＰＯＲＥ構造内に飛沫を吸着するが、このＭＡＣＲＯＰＯＲＥの構造は活性炭素材に飛沫を吸着する効率が段々と低下し、また、公知の活性炭マスクの製造方法は接着により一体に形成するため、接着がＭＡＣＲＯＰＯＲＥ構造を阻隔し、活性炭の吸脱効果を邪魔している。
　ＭＡＣＲＯＰＯＲＥ構造の活性炭は活性炭材質が脱落し易いのが欠点であり、この脱落した活性炭材質が使用者の人体へ吸い込まれ、ウィルスも吸い込まれてしまう。公知の活性炭マスクは異臭を吸着する効果を具えるが、飛沫を阻隔する効果は具えていない。
　そこで、本考案は上記の欠点を改善すべく、飛沫ウィルスを予防するマスクを提供することを課題とする。
【課題を解決するための手段】
【０００４】
　上記課題を解決するため、本考案は下記の飛沫ウィルスを予防するマスクを提供する。
　それは、主に隔離表層、活性炭繊維により平織布層（ＡＣＴＩＶＥＤ　ＣＡＲＢＯＮ　ＦＩＶＥＲＳ、ＡＣＦ）、防湿シート層により構成し、三層をX軸、Y軸のように経緯密度編織方法により綿密に縫合し（参照　図３）、該隔離表層の線状に配列する繊維と繊維との間の毛羽構造及びサイフォン効果により飛沫を吸着、脱水、滅菌、して破壊し、配合する該活性炭繊維による平織布層は菌をフィルターし、脱臭して有害な物質及びウィルスを阻隔し、使用者が完全に無害な空気を心地よく呼吸することができる飛沫ウィルスを予防するマスク。
　
　本考案のもう一つの目的として、隔離表層を抗菌薬剤に浸漬し、ウィルスなどの有害物質を滅菌、除菌する効果を更に強大にする。
　前述の目的を達成するために、本考案は主に隔離表層、活性炭繊維による平織布層（ＡＣＴＩＶＥＤ　ＣＡＲＢＯＮ　ＦＩＶＥＲＳ、ＡＣＦ）、防湿シート層により構成し、三層をX軸、Y軸のように経緯密度編織方法により綿密に縫合し（参照　図３）、該隔離表層、は抗菌薬剤へ浸漬処理し、該隔離表層の線状に配列する繊維と繊維との間の毛羽構造及びサイフォン効果は、ウィルス、細菌、微生物・・・等の多くの有機体を吸着させ、有機体の水分を繊維間の毛羽構造により脱水し、該有機体の活動能力は低下し、並びに繁殖を抑制され、繊維間のサイフォン効果及び抗菌薬剤の効果により１５〜２０分以内に滅菌効果を完了する。
　更に活性炭繊維を再加工して平織布と該活性炭繊維による平織布層に係り、その活性炭繊維の表面孔（ＭＩＣＲＯＰＯＲＥ）は強大な吸着力を具有し、飛沫を該孔の構造へ迅速且つ効果的に進入させ、吸着して飽和を阻止し、活性炭繊維による平織布層は吸脱着力の素早さ、及び一般の平織布の特色を具有しており、活性炭繊維による平織布層は触媒キャリアとなり物質の臭いを吸着し、有機体、有機溶剤・・・等の有害物質の懸毒する微粒子を吸着し、またウィルス、細菌、微生物・・・等の微粒子をろ過し、菌をろ過及び脱臭する効果を得る。
　該隔離表層、該活性炭繊維による平織布層の二層は滅菌、菌をろ過、脱臭、空気中に含まれる有害物質及びウィルスを阻隔する効果を具え、
　該防湿シート層は心地よい感触の防湿性の材質に係り、使用者がマスクをつけて呼吸をするとマスク内にこもる湿気の水分子を該防湿シート内の構造へ留置し、迅速に気体を排出し、湿気を減少し、付け心地がよい、該防湿シート層へは抗菌薬剤の浸漬処理を行わず、また該活性炭繊維による平織布層が隔離表層に付着する抗菌薬剤の臭い、滅菌による異臭又はその他の臭いを阻隔し、各種異臭が人体へ与える不快感、アレルギー、中毒などを避け、また防湿シート層は、他の二層が使用者の皮膚、口、鼻などへ直接接触することを阻隔し、人体へ心地よい感触を与え、摩擦を起こすことも無い。
　また、使用者がマスクをつけて眼鏡をかけるときに眼鏡が曇る減少を避け、且つ呼吸を妨げることなく快適な呼吸となる。
　使用者が完全に無害な空気を心地よく呼吸することができる飛沫ウィルスを予防するマスクを提供する。
【考案の効果】
【０００５】
　よって、本考案は特に飛沫ウィルス及び有害物質を隔離することに効果があり、飛沫ウィルス及び有害物質によるインフルエンザ、肺炎などの飛沫ウィルスを予防する。
【考案を実施するための最良の形態】
【０００６】
　まず、図１〜４に示すように、本考案のマスク１は主に隔離表層１０、活性炭繊維の平織布層２０、防湿シート層３０により構成し、三層をX軸、Y軸のように経緯密度編織方法により綿密に縫合し（参照　図３）、　該隔離表層１０は、適正な密度で縫製した布に係り、該布の表面は緻密で不規則な毛羽構造１１であり、更に該布を抗菌薬剤へ浸漬させることにより、抗菌効果が更に増加し、抗菌率は99.99％に達し、且つ少なくとも１００回以上の洗浄にも耐え、抗菌率は７５％以上である。
　　該活性炭繊維による平織布２０は、活性炭繊維を再加工してなる平織布と該活性炭繊維による平織布層２０に係り、その活性炭繊維の表面孔（ＭＩＣＲＯＰＯＲＥ）は強大な吸着力を具有し、飛沫を該孔の構造へ迅速且つ効果的に進入させ、吸着して飽和を阻止し、活性炭繊維による平織布層は吸脱着力の素早さ、及び一般の平織布の特色を具有しており、活性炭繊維による平織布層は触媒キャリアとなり物質の臭いを吸着し、有機体、有機溶剤・・・等の有害物質の懸毒する微粒子を吸着し、またウィルス、細菌、微生物・・・等の微粒子をろ過し、菌をろ過及び脱臭する効果を得る。
　　該防湿シート層３０は心地よい感触の防湿性の材質に係り、使用者がマスクをつけて呼吸をするとマスク内にこもる湿気の水分子５０を該防湿シート３０内の構造へ留置し、迅速に気体を排出し、湿気を減少し、付け心地がよい、該防湿シート層３０へは抗菌薬剤の浸漬処理を行わず、また該活性炭繊維による平織布層２０が隔離表層１０に付着する抗菌薬剤の臭い、滅菌による異臭又はその他の臭いを阻隔し、各種異臭が人体６０へ与える不快感、アレルギー、中毒などを避け、また防湿シート層は、他の二層が使用者の皮膚、口、鼻などへ直接接触することを阻隔し、人体へ心地よい感触を与え、摩擦を起こすことも無い。
　使用者が完全に無害な空気を心地よく呼吸することができる飛沫ウィルス４０を予防するマスク１である。
【０００７】
　次に図５〜８に示すものは、本考案と眼鏡を掛けない時、眼鏡を掛けた時のの組合せ例を示す。
　図８に示す防湿シート層３０は、使用者の内にこもる湿気の水分子５０を該防湿シート層３０に留置する状態を示し、本考案によれば該水分子５０により眼鏡がくもったり、視界が悪くなったりするようなことを避けることができる。
【０００８】
　上述の構造を下記にまとめる。
　（１）隔離表層は、脱水作用を具える毛羽構造は飛沫の構造を破壊するこ　　　　とに効果を有し、飛沫及びそれに含まれるウィルスを吸着して隔離　　　　する。
　（２）隔離表層は、抗菌薬剤へ浸漬処理することによりウィルス、細菌等　　　　の活動能力は低下し、並びに成長、繁殖を抑制することに効果を有　　　　し、理想とする抗菌効果を達成し、その抗菌率は99.99％に達し、　　　　１００回以上の洗浄にも耐え、抗菌率は７５％以上である。
　（３）隔離表層編織方法は、三層をX軸、Y軸のように経緯密度編織方法　　　　により綿密に縫合し（参照　図３）、特殊であるため本考案は最良　　　　の可塑性を具有し、本考案を付けると人体の口、鼻などの部位と緊　　　　密に貼合する効果となる。
　（４）活性炭繊維による平織布は、活性炭繊維を再加工して平織布とし、　　　　その活性炭繊維の表面孔（ＭＩＣＲＯＰＯＲＥ）は強大な吸着力を　　　　具有し、飛沫を該孔の構造へ迅速且つ効果的に進入させ、吸着して　　　　飽和を阻止し、活性炭繊維による平織布層は吸脱着力の素早さ、及　　　　び一般の平織布の特色を具有しており、活性炭繊維による平織布層　　　　は触媒キャリアとなり物質の臭いを吸着し、有機体、有機溶剤・・　　　　・等の有害物質の懸毒する微粒子を吸着し、またウィルス、細菌、　　　　微生物・・・等の微粒子をろ過し、菌をろ過及び脱臭する効果を得　　　　る。
　（５）防湿シート層は、心地よい感触の防湿性の材質に係り、使用者がマ　　　　スクをつけて呼吸をするとマスク内にこもる湿気の水分子を該防湿　　　　シート内の構造へ留置し、迅速に気体を排出し、湿気を減少し、付　　　　け心地がよい、該防湿シート層へは抗菌薬剤の浸漬処理を行わず、　　　　また該活性炭繊維による平織布層が隔離表層に付着する抗菌薬剤の　　　　臭い、滅菌による異臭又はその他の臭いを阻隔し、各種異臭が人体　　　　へ与える不快感、アレルギー、中毒などを避け、また防湿シート層　　　　は、他の二層が使用者の皮膚、口、鼻などへ直接接触することを阻　　　　隔し、人体へ心地よい感触を与え、摩擦を起こすことも無い。
【図面の簡単な説明】
【０００９】
【図１】本考案の構造分解指示図である。
【図２】本考案の構造組合せ指示図である。
【図３】本考案の構造関係指示図である。
【図４】本考案と人体が接触する実施指示図である。
【図５】眼鏡を掛けないで本考案を使用する実施例図である。
【図６】眼鏡を掛けて本考案を使用する実施例指示図である。
【図７】本考案を使用者の口、鼻などの部位に密着させる指示図である。
【図８】本考案と人体が接触し、防湿シート層の構造内へ水分子を留置する指示図である。
【符号の説明】
【００１０】
１　マスク
１０　隔離表層
１１　毛羽構造
２０　活性炭繊維による平織布層
３０　防湿シート層
４０　飛沫
５０　水分子
６０　人体
【図１】
0003099624.tif 000003
【図２】
0003099624.tif 000004
【図３】
0003099624.tif 000005
【図４】
0003099624.tif 000006
【図５】
0003099624.tif 000007
【図６】
0003099624.tif 000008
【図７】
0003099624.tif 000009
【図８】
0003099624.tif 000010